【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  少なくとも１種の薬剤の自動投薬法において、人間を除く対象動物に投与する少なくとも１種の薬剤の複数の用量を含有する電気機械的微小送達システムを選択し、電気機械的微小送達システムを該対象動物に対して適用し、電気機械的微小送達システムを少なくとも１種の薬剤を所望の投薬基準に従って該対象動物に配剤するようにプログラムし、電気機械的微小送達システムを少なくとも１種の薬剤の初期用量を該対象動物に提供するように作動させ、ついで電気機械的微小送達システムを投薬基準に従って予め定められた時間に少なくとも１種の薬剤の少なくとも１種の他の継続用量を該対象動物に提供するように作動させることを特徴とする方法。
【請求項２】  前記初期用量の提供および前記少なくとも１種の他の継続用量の提供は、その用量の前記対象動物への局所適用を包含する請求項１記載の方法。
【請求項３】  前記初期用量の提供および前記少なくとも１種の他の継続用量の提供は、その用量の前記対象動物への内科的投薬を包含する請求項１記載の方法。
【請求項４】  前記初期用量は少なくとも１種の薬剤の負荷用量である請求項１記載の方法。
【請求項５】  前記継続用量は、初期用量よりも少ない維持用量である請求項４記載の方法。
【請求項６】  前記少なくとも１種の薬剤は、少なくとも１種の外部寄生虫および内部寄生虫の制御のための寄生虫殺滅剤から選択される請求項４記載の方法。
【請求項７】  前記少なくとも１種の薬剤は、ペルメトリン、イベルメクチンおよびフィプロニルからなる群より選択される請求項５記載の方法。
【請求項８】  前記少なくとも１種の薬剤は、タンパク性血栓溶解剤から選択される請求項１記載の方法。
【請求項９】  前記タンパク性血栓溶解剤は、ウロキナーゼ、ストレプトキナーゼおよびＴＰＡの少なくとも１種から選択される請求項８記載の方法。
【請求項１０】  前記少なくとも１種の薬剤は、タンパク質、ペプチド、オリゴヌクレオチド、およびＤＮＡの少なくとも１種から選択される請求項１記載の方法。
【請求項１１】  前記少なくとも１種の薬剤は、エポエチンα、フィルグラスチム、インターフェロンα−２ａ、ワクチン、タンパク質抗原および受容体遺伝子をコードするプラスミドＤＮＡからなる群より選択される請求項１０記載の方法。
【請求項１２】  前記対象動物の少なくとも１種の生理学的状態のモニタリングおよび少なくとも１種の生理学的状態を表すデータの発生のために、電気機械的微小送達システムと対象動物を連結するモニタリングデバイスをさらに提供し、このデータに応じて投薬基準を自動的に調整することを包含する請求項１記載の方法。
【請求項１３】  前記モニタリングデバイスは、血中グルコースレベルのモニタリングデバイスから選択される請求項１２記載の方法。
【請求項１４】  少なくとも１種の薬剤はインスリンからなる請求項１３記載の方法。
【請求項１５】  前記電気機械的微小送達システムの前記対象動物への適用は、該対象動物の肝動脈へのカテーテルの留置である請求項１記載の方法。
【請求項１６】  少なくとも１種の薬剤は化学療法剤から選択される請求項１５記載の方法。
【請求項１７】  前記化学療法剤は、５−ＦＵおよび５−ＦＵｄＲからなる群より選択される請求項１６記載の方法。
【請求項１８】  前記少なくとも１種の薬剤は、抗生物質、抗ウイルス剤および抗かび剤からなる群より選択される請求項１記載の方法。
【請求項１９】  前記少なくとも１種の薬剤は、イミペネム、シラスタチン、セフトリアキソンナトリウム、セフォキシチンナトリウム、フォスカルネット、アシクロビールおよびアンフォテリシンＢから選択される請求項１８記載の方法。
【請求項２０】  前記電気機械的微小送達システムは電気機械的微小ポンプである請求項１記載の方法。
【請求項２１】  前記電気機械的微小送達システムの前記対象動物への適用は、該電気機械的微小送達システムの該対象動物の生体部分への付着からなる請求項１記載の方法。
【請求項２２】  前記電気機械的微小送達システムの適用は、該電気機械的微小送達システムおよび前記対象動物へのIVセットの連結からなる請求項２１記載の方法。
【請求項２３】  継続用量はそれぞれは対象動物内における薬剤レベルが所望の最低値以上に保持されることを保証する予めプログラムされた間隔で提供される請求項１記載の方法。
【請求項２４】  前記電気機械的微小送達システムの適用は、電気機械的微小送達システムの対象動物への移植からなる請求項１記載の方法。
【請求項２５】  少なくとも２種の薬剤の人間を除く対象動物への自動交互投薬方法において、内部に少なくとも１種の薬剤を保持させるために配置された複数個のコンパートメントを内部に有する電気機械的微小送達システムを選択し、その電気機械的微小送達システムを該対象動物に対して適用し、少なくとも１種の薬剤の第一の用量を該電気機械的微小送達システムの第一のコンパートメントから該対象動物に提供するように該電気機械的微小送達システムを作動させ、ついで少なくとも１種の薬剤の第一の用量の投薬の後第一の予め定められた時間に該電気機械的微小送達システムの第二のコンパートメントから少なくとも１種の薬剤の第二の用量を該対象動物に提供するために該電気機械的微小送達システムを作動させることからなる方法。
【請求項２６】  さらに少なくとも１種の薬剤の第二の用量の投薬の後第二の予め定められた時間に少なくとも１種の薬剤の第三の用量を提供するために前記電気機械的微小送達システムを作動させることからなる請求項２５記載の方法。
【請求項２７】  さらに少なくとも１種の薬剤の付加的用量を各用量の投薬の間に予め定められた時間間隔を置いて送達することからなる請求項２６記載の方法。
【請求項２８】  さらに少なくとも１種の薬剤の第一の量を前記複数個のコンパートメントの一つに提供し、残りの複数個のコンパートメントには少なくとも１種の薬剤の第一の量より少ない第二の量を提供することからなる請求項２５記載の方法。
【請求項２９】  さらに少なくとも１種の薬剤の第二の量を有するコンパートメントを、前記対象動物に利用可能な少なくとも１種の薬剤の量が少なくとも１種の薬剤の各用量の投薬後直ちに実質的に同じになるように互いに十分離れた間隔で放出させることからなる請求項２８記載の方法。
【請求項３０】  さらに、少なくとも１種の薬剤の第一の量をコンパートメントの一つに提供し、残りの複数個のコンパートメントには少なくとも１種の薬剤の第一の量より多い第二の量を提供することからなる請求項２５記載の方法。
【請求項３１】  さらに、複数個のコンパートメントには少なくとも１種の薬剤の異なる量を提供し、そのコンパートメントを選択的に放出させることによって少なくとも１種の薬剤の所望のレベルを達成することからなる請求項２５記載の方法。
【請求項３２】  さらに、少なくとも１種の薬剤の付加的な用量を前記対象動物における少なくとも１種の薬剤のレベルが上昇するような様式で送達させることからなる請求項２５記載の方法。
【請求項３３】  前記電気機械的微小送達システムの適用には、該電気機械的微小送達システムの対象動物内への移植が包含される請求項２５記載の方法。
【請求項３４】  前記電気機械的微小送達システムの適用には、該電気機械的微小送達システムの前記対象動物への局所的な付着が包含される請求項２５記載の方法。
【請求項３５】  前記少なくとも１種の薬剤の第一の用量の提供は、前記対象動物に対する少なくとも１種の薬剤の有効閾値を越えるのに十分な量であり、前記少なくとも１種の薬剤の第二の用量の提供は、該対象動物に対する少なくとも１種の薬剤の有効閾値を越えるのに十分な量であり、この間第一の用量のレベルは少なくとも１種の薬剤の有効閾値以上に維持されることからなる請求項２５記載の方法。